(57)【特許請求の範囲】
【請求項１】
周囲壁と底壁とを備え、扁平で、上下方向に細長く、上下の両端部が閉じられた液体入り柔軟袋を、その形態のまゝで周囲壁の開放した上面から内部に立てゝ収容する液体入り柔軟袋の格納スタンドであって、前記袋の上端部を周囲壁の上面から上に突出させると共に、前記袋の後縁部を囲む周囲壁の後壁部を周囲壁の他の部分よりも高くし、この後壁部に前記袋の上端部と後縁部の後側隅角部を深く下向きに挟むスリットを上端から切込んで設け、前記袋の前縁部を囲む周囲壁の前壁部にＶ字形の下向きの切込みを設け、前記袋の上端部と後縁部の後側隅角部をスリットで深く挟んだ状態において前記袋の上端部の前縁部の注出口を有する前側隅角部を上記Ｖ字形の切込みから周囲壁の前方に突出できるようにするとともに、周囲壁の下端部や底部に通気孔を形成して、周囲壁の内部に液体入り柔軟袋を収容する際に、内部の空気を外に排出するようにしたことを特徴とする液体袋入り柔軟袋の格納スタンド。
【発明の詳細な説明】
【０００１】
【発明の属する技術分野】
この発明はミネラルウォーター、ジュース等の清涼飲料や、液体調味料、その他の液体を合成樹脂フィルム、アルミ箔等の袋に充填した扁平で、上下方向に長く、上下の両端部が閉じられた液体入り柔軟袋を、ほゞその形態のまゝで格納し、常時は袋の上端部を真上に向けて立て、袋の上端部の前縁の隅角部に形成した注出口が下に向くように袋ごと斜めに傾けて袋内の液体を注出口から注出することができる透明又は半透明のプラスチックで一体に成形された周囲壁と底壁とを備えた液体入り柔軟袋の格納スタンドに関する。
【０００２】
【従来の技術】
上記液体入り柔軟袋をほゞその形態のまゝで立てゝ収容する格納スタンドは公知である。公知の格納スタンドの周囲壁の上端は水平で袋の後縁部を囲む周囲壁の後壁部と、袋の前縁部を囲む周囲壁の前壁部には上端から切込んだスリットを対設し、後壁部に設けたスリットで袋の上端部の後縁の隅角部を挟むことにより袋内の水を注出するためにスタンドを傾けてもスタンド内から袋が脱出するのを防止している。
【０００３】
【発明が解決しようとする課題】
周囲壁の前壁部に設けたスリットには、スタンド内に袋を上に向けて立てたとき、袋の上端部の前縁の注出口を有する隅角部を挟んでおき、袋内の水を注出する際はスリットから袋の上端部の前縁の隅角部を外し、注出口が下を向くようにスタンドを片手で持ってスタンドごと袋を傾けるが、このときスリットを有する周囲壁の前壁部の上端が注出口を下から押し上げるため注出口の向きは上向きになり、注出口から出ようとする水の流れを妨げる。このため、水は注出口から弧を描いて落下し、水は目標位置よりも遠くに落ちてコップ等にうまく入らず、こぼれて付近を濡らす原因になっていた。
【０００４】
【課題を解決するための手段】
本発明は上述した問題点を解消するために開発されたもので、周囲壁と底壁とを備え、扁平で、上下方向に細長く、上下の両端部が閉じられた液体入り柔軟袋を、その形態のまゝで周囲壁の開放した上面から内部に立てゝ収容する液体入り柔軟袋の格納スタンドであって、前記袋の上端部を周囲壁の上面から上に突出させると共に、前記袋の後縁部を囲む周囲壁の後壁部を周囲壁の他の部分よりも高くし、この後壁部に前記袋の上端部と後縁部の後側隅角部を深く下向きに挟むスリットを上端から切込んで設け、前記袋の前縁部を囲む周囲壁の前壁部にＶ字形の下向きの切込みを設け、前記袋の上端部と後縁部の後側隅角部をスリットで深く挟んだ状態において前記袋の上端部の前縁部の注出口を有する前側隅角部を上記Ｖ字形の切込みから周囲壁の前方に突出できるようにするとともに、周囲壁の下端部や底部に通気孔を形成して、周囲壁の内部に液体入り柔軟袋を収容する際に、内部の空気を外に排出するようにしたことを特徴とする。
【０００５】
【発明の実施の形態】
図２に示すとおり、液体入り柔軟袋１０は扁平で、上下方向に細長く、上下の両端部がヒートシールなどで平行に閉じられ、内部に清涼飲料、調味液等の液体が充填された平らな枕状を呈し、袋の材質は合成樹脂フィルム、アルミ箔等の柔軟なシートからなる。
【０００６】
袋の上端部１１を閉じる重合部には袋の前縁部１２の近くと、それよりも少し後に離れた位置の２個所に注出口１４を形成するための切欠き１４ａ，１４ｂが設けてある。前縁部に近い切欠き１４ａから前縁部１２に向かって袋の角（かど）を三角形状に千切ると小さい注出口１４が形成され、切欠き１４ｂから少し後に離れた切欠き１４ｂから前縁部１２に向かって袋のかどを三角形状に千切ると大きな注出口１４が形成される。
【０００７】
図１に示すとおり、２０は透明、又は半透明のプラスチック、例えばポリエチレンで成形した格納スタンドで、底壁２１と、底壁の回りから立つ周囲壁２３とを一体に備え、周囲壁の開放した上面から前記液体入り柔軟袋１０を上端部１１を上に向けて周囲壁の内部にスッポリと立てゝ収容することができ、このようにして収容すると袋の上端部１１は周囲壁２３の上面から上に突出する。底壁の下面の回りには不連続の隆起条２１′を設けると共に、底壁には通気孔２２を開設し、周囲壁の内部に液体入り柔軟袋１０をスッポリと立てゝ収容する際に、周囲壁の内部の空気を通気孔２２から外に排出し、袋を収容し易くする。尚、通気孔２２は底壁ではなく、周囲壁の下端部に設けてもよい。
【０００８】
図２に示すとおり、袋１０の上端部１１を真っ直ぐにしたときの長さＬは、袋の後縁部１３を囲む周囲壁の後壁部２４と、袋の前縁部１２を囲む周囲壁２３の前壁部２６との間の距離（長辺）Ｌ′よりも少し長い。
【０００９】
液体入り柔軟袋の後縁部１３を囲む周囲壁２３の後壁部２４は周囲壁の他の部分よりも高くし、この後壁部２４の中央に袋の上端部１１と後縁部１３の後側隅角部１５を挟む下向きに深いスリット２５を上端から切込んで設ける。
【００１０】
又、袋１０の前縁１２を囲む周囲壁の前壁部２６の中央には下向きの切込み２７を図示の実施例ではＶ字形に設け、袋の上端部１１と前縁部１２の注出口１４を有する前側隅角部１６が上記切込み２７から前方に突出できるようにしてある。
【００１１】
上記のようにして液体入り柔軟袋１０を立てゝ収容した格納スタンド２０を袋１０ごと片手で持ち上げ、袋の注出口１４が下向きになるようにスタンドを傾け、袋内の液体を注出する際に、指の間からスタンドが滑り落ちるのを防ぐため、スタンドの後壁部２４と前壁部２６をつなぐ両側壁２８，２８には指が引掛かる縦溝２９，２９を形成しておくことが好ましい。
【００１２】
又、収納スタンド内に液体入り柔軟袋１０を立てゝ収容し、水を袋から出さないときは、開いている注出口１４を洗濯挟み式などのクリップ３０で挟んで閉じ、袋内にごみなどが入るのを防止することが好ましい。
【００１３】
図示の実施形態の周囲壁の水平断面形状は四隅が丸味を帯びた長方形であるが、周壁の水平断面形状は小判形、楕円形等、液体入り柔軟袋を内部にスッポリと立てゝ収容できるものであればよい。
【００１４】
【発明の効果】
本発明では、周囲壁２３の上面から上に突出する液体入り柔軟袋１０の後側隅角部１５を、前記周囲壁の高くした後壁部２４に上端から下向きに深く形成したスリット２５で挟むため、袋の前側隅角部１６に形成した注出口１４が下を向くように袋ごとスタンドを傾けても、スタンドの周囲壁の内部にスッポリと収納した液体入り柔軟袋が周囲壁の内部から抜け出ることを確実に防止できる。そして、注出口１４を有する袋の前側隅角部１６は、周囲壁の前壁部２６に設けた下向きの切込み２７を通って周囲壁の前に突出するため、袋内の液体を注出するため注出口１４が下向きになるように袋ごとスタンドを傾けた際は、袋内の液体は注出口１４からほゞ真下に流出する。従って、コップなどの中に注出口から正確に液体を注出することができ、周囲を濡らしたり、液体を無駄にすることがない。
【図面の簡単な説明】
【図１】（Ａ）は袋１０をスタンド内に立てゝ収容した状態の、スタンドを断面にした側面図、（Ｂ）は図１（Ａ）の平面図、（Ｃ）は袋内の液体を注出している状態の側面図である。
【図２】袋１０、スタンド、クリップの分解斜視図である。
【符号の説明】
１０    液体入り柔軟袋
１１    袋の上端部
１２    袋の前縁部
１３    袋の後縁部
１４    注出口
１５    後側隅角部
１６    前側隅角部
２０    格納スタンド
２１    底壁
２２    通気孔
２３    周囲壁
２４    周囲壁の後壁部
２５    スリット
２６    周囲壁の前壁部
２７    下向きの切込み
２８    両側壁
２９    縦溝
３０    クリップ
【図１】
0004135234.tif 000002
【図２】
0004135234.tif 000003